(57)【要約】【課題】複数の画像を並べて表示できるカメラシステムにおいて、利便性を高める。【解決手段】画像表示制御部１５は、画像８２Ａの一部分を基準画像８２Ａ′として液晶モニタ１６に表示させる。さらに、画像表示制御部１５は、画像８２Ａとは異なる絞り値で取得された画像８２Ｂの一部分を比較画像８２Ｂ′として、基準画像８２Ａ′と並べて液晶モニタ１６に表示させる。比較画像８２Ｂ′は、画像８２Ｂにおける位置が画像８２Ａにおける基準画像８２Ａ′の位置と同じ部分である。【選択図】図１７
2009017539.tif 000002
【特許請求の範囲】
【請求項１】
被写体の光学像を形成する撮像光学系と、
前記光学像を画像信号に変換し前記被写体の画像を取得する撮像部と、
前記撮像部で取得された複数の前記画像を並べて表示可能な表示部と、
前記撮像部により取得された第１画像の一部分を基準画像として前記表示部に表示させ、前記第１画像とは異なる撮影条件で前記撮像部により取得された第２画像の一部分であって前記第２画像における位置が前記第１画像における前記基準画像の位置と同じ部分を、比較画像として前記基準画像と並べて前記表示部に表示させる表示制御部と、
を備えるカメラシステム。
【請求項２】
前記表示制御部は、前記基準画像の一部分を拡大した第１拡大画像と、前記比較画像における位置が前記基準画像における前記第１拡大画像の位置と同じ部分を拡大した第２拡大画像と、を並べて前記表示部に表示させる、
請求項１に記載のカメラシステム。
【請求項３】
前記表示制御部は、前記第１画像および前記第２画像とは異なる撮影条件で前記撮像部により取得された第３画像の一部分であって前記第３画像における位置が前記第１画像における前記基準画像の位置と同じ部分を、前記比較画像として前記第２画像の代わりに前記表示部に表示可能である、
請求項２に記載のカメラシステム。
【請求項４】
前記表示部が前記第１拡大画像を表示している場合において、前記表示制御部は、前記第３画像の一部分であって前記第３画像における位置が前記第１画像における前記第１拡大画像の位置と同じ部分を拡大した第３拡大画像を、前記第２拡大画像の代わりに前記表示部に表示可能である、
請求項３に記載のカメラシステム。
【請求項５】
前記表示制御部は、前記基準画像の撮影条件と前記比較画像の撮影条件とを表示部に表示させる、
請求項４に記載のカメラシステム。
【請求項６】
前記撮影条件は、絞り値である、
請求項５に記載のカメラシステム。
【発明の詳細な説明】
【技術分野】
【０００１】
本発明は、カメラシステム、特に、複数の画像を並べて表示できるカメラシステムに関する。
【背景技術】
【０００２】
近年、被写体の光学的な像を電気的な画像信号に変換して出力可能なデジタルスチルカメラが急速に普及している。デジタルスチルカメラの特徴の一つとして、撮影者が撮影時に表示装置（例えば、画像表示用液晶モニタ）を見ながら撮影し、撮影後にすぐに撮影画像を確認できることが挙げられる。
デジタルスチルカメラによって撮影された画像は、撮影条件によって異なったものとなる。例えば、絞り値を変えることによって被写界深度が変化し、被写体に焦点が合っている状態で背景のぼけ具合を変えることができる。撮影画像の変化を確認するために、例えば特許文献１に記載のカメラが提案されている。このカメラは、開放絞りにより撮影された画像信号と設定された絞り値により撮影された画像信号とを記憶し、一方の画像の一部を他方の画像に置き換えて表示装置に合成表示する。
【０００３】
一方、撮影された画像を評価するために、撮影された一の画像について、異なる複数の拡大率を同時に表示装置に表示するカメラが提案されている（例えば、特許文献２）。
【特許文献１】特開２０００−１２５１５３号公報
【特許文献２】特開２００３−３４５３４０号公報
【発明の開示】
【発明が解決しようとする課題】
【０００４】
しかしながら、上記特許文献１に記載のカメラでは、比較される複数の画像がそれぞれ異なる領域の画像であるため、画像の比較が容易でない。また、上記特許文献２に記載のカメラでは、異なる複数の画像を同時に比較できない。複数の画像を比較する際に利便性が高いカメラが求められている。
本発明の課題は、複数の画像を並べて表示できるカメラシステムにおいて、利便性を高めることにある。
【課題を解決するための手段】
【０００５】
第１の発明に係るカメラシステムは、被写体の光学像を形成する撮像光学系と、撮像部と、表示部と、表示制御部と、を備えている。撮像部は、光学像を画像信号に変換し被写体の画像を取得する。表示部は、撮像部で取得された複数の画像を並べて表示可能である。表示制御部は、撮像部により取得された第１画像の一部分を基準画像として表示部に表示させ、第１画像の第１撮影条件とは異なる第２撮影条件で撮像部により取得された第２画像の一部分であって第２画像における位置が第１画像における基準画像の位置と同じ部分を比較画像として基準画像と並べて表示部に表示させる。
このカメラシステムでは、異なる撮影条件で撮影された複数の画像のうち、それぞれ同じ部分を並べて比較することができ、画像の比較が容易となる。これにより、このカメラシステムでは、複数の画像を比較する際の利便性を高めることができる。
【０００６】
第２の発明に係るカメラシステムは、第１の発明に係るカメラシステムにおいて、表示制御部が、基準画像の一部分を拡大した第１拡大画像と、基準画像における第１拡大画像の位置と比較画像における位置が同じ部分を拡大した第２拡大画像と、を表示部に表示させる。
第３の発明に係るカメラシステムは、第２の発明に係るカメラシステムにおいて、表示制御部が、第１画像および第２画像とは異なる撮影条件で撮像部により取得された第３画像の一部分であって第３画像における位置が第１画像における基準画像の位置と同じ部分を、比較画像として第２画像の代わりに表示部に表示可能である。
第４の発明に係るカメラシステムは、第３の発明に係るカメラシステムにおいて、表示部が第１拡大画像を表示している場合において、表示制御部は、第３画像の一部分であって第３画像における位置が第１画像における第１拡大画像の位置と同じ部分を拡大した第３拡大画像を、第２拡大画像の代わりに表示部に表示可能である。
【０００７】
第５の発明に係るカメラシステムは、第４の発明に係るカメラシステムにおいて、表示制御部が、基準画像と比較画像とのそれぞれの撮影条件を表示部に表示させる。
第６の発明に係るカメラシステムは、第５の発明に係るカメラシステムにおいて、撮影条件が絞り値である。
【発明の効果】
【０００８】
本発明に係るカメラシステムによれば、複数の画像を並べて表示できるカメラシステムにおいて、利便性を高めることが可能である。
【発明を実施するための最良の形態】
【０００９】
以下、図面を参照しながら本発明の実施の形態について説明する。
＜1：カメラシステムの全体構成＞
本発明に係るカメラシステム２００について説明する。図１に本発明に係るカメラシステム２００の全体構成図を示す。
図１に示すカメラシステム２００は、交換レンズ式の一眼レフデジタルカメラシステムである。カメラシステム２００は、カメラ本体１と交換レンズユニット２とから構成される。
また、カメラ本体１と交換レンズユニット２とは、それぞれに設けられた交換レンズユニット２側のレンズマウント２１の電気切片（図示せず）と、カメラ本体１側のボディーマウント２３の電気切片（図示せず）とを介して、各種の制御信号の通信を行う。
【００１０】
（１．１：交換レンズユニットの構成）
交換レンズユニット２は、主に、カメラシステム２００内の撮像センサ１１に被写体像を結ぶための撮像光学系Ｌと、撮像光学系Ｌの絞りを調整するための絞り設定部２９と、交換レンズユニット２の各種シーケンスを制御するレンズマイコン２０とから構成される。
交換レンズユニット２は、レンズマウント２１を有し、カメラ本体１のボディ前面に設けられたボディーマウント２３に取り外し可能に装着される。
交換レンズユニット２は、また、交換レンズユニット２内の各種シーケンスをコントロールし、各種レンズ情報を保持しているレンズマイコン２０が搭載されている。交換レンズユニット２内には、フォーカスレンズ群２５を駆動制御するフォーカス制御部２６が搭載されている。さらに、絞りユニット２８を制御する絞り制御部２７が搭載されている。
【００１１】
撮像光学系Ｌは、主に、フォーカスレンズ群２５と、絞りユニット２８とから構成される。
絞り設定部２９は、主に、撮影者が回転操作することで絞り値を入力することができる絞りリング４０と、絞りリング４０の回転角度に応じた物理量を出力する絞りリニアセンサ（図示せず）と、絞りユニット２８の有する絞り羽根を駆動する絞り駆動モータ２８ｂと、設定された絞り値となるように絞りを調整する絞り制御部２７とから構成される。
レンズマイコン２０は、交換レンズユニット２の中枢を司る制御装置であり、交換レンズユニット２に搭載された各部に接続されており、交換レンズユニット２の各種シーケンスの制御を行う。レンズマイコン２０には、例えば、ＣＰＵ、メモリ６９が搭載されており、メモリ６９に格納されたプログラムがＣＰＵに読み込まれることで、様々な機能を実現することができる。レンズマイコン２０は、フォーカス制御部２６、絞り制御部２７、シフト制御部（図示せず）等に対し、命令（例えば、制御信号やコマンド）を出力することで、フォーカス制御部２６、絞り制御部２７、シフト制御部（図示せず）等にそれぞれの制御を実行させる。また、レンズマイコン２０は、ボディーマイコン１２とインターフェースを介して接続され、ボディーマイコン１２とマイコン間通信を行う。
【００１２】
（１．２：カメラ本体の構成）
カメラ本体１は、主に、被写体からの光の経路を変更するクイックリターンミラー４と、被写体像を視認するためのファインダ光学系１９と、焦点検出を行う焦点検出用ユニット５と、シャッターの開閉動作を行うシャッターユニット１０と、被写体像を撮影画像として取得する撮像部と、撮像画像を表示する画像表示部と、撮影モードを切り換える撮影モード切換部と、絞り込みモードに設定するための絞り込みモード設定部と、シャッターユニット１０の制御を行うシャッター制御部１４と、撮像画像を記録する画像記録部１８と、カメラ本体１の各種シーケンスの制御を行うボディーマイコン１２とから構成されている。
なお、ファインダ光学系１９が観察光学系をなし、クイックリターンミラー４が可動ミラーをなし、撮影モード切り換えボタンおよびボディーマイコンが撮影モード切換部をなし、絞り込みモードボタンおよびボディーマイコンが絞り込みモード設定部をなす。
交換レンズユニット２を通過した被写体光は、クイックリターンミラー４のメインミラー４ａにより２つの光束（反射光束および透過光束）に分割され、反射光束は、ファインダ光学系１９へ導かれる。一方、透過光束は、クイックリターンミラー４の背面側に設けられたサブミラー４ｂで反射されて、焦点検出用ユニット５のＡＦ用光束として利用される。この焦点検出用ユニット５は、一般的には、位相差検出方式が使用される。
【００１３】
メインミラー４ａで反射された光束は、ファインダースクリーン６上に結像される。ファインダースクリーン６上に結像された被写体像は、ペンタプリズム７および接眼レンズ８を介してファインダ接眼窓９から観察することができる。
カメラ本体１内には、各種シーケンスをコントロールするボディーマイコン１２が搭載されている。撮像センサ制御部１３は、撮像センサ１１の駆動制御を行う。シャッター制御部１４は、シャッターユニット１０の駆動制御を行う。画像表示用の画像表示制御部１５は、撮像センサ１１より画像データを読み出し、所定の画像処理を行った後、液晶モニタ１６へ撮影画像を表示するよう制御する。また、画像記録制御部１７は、図示せぬＳＤカードなどの記録媒体に対して、画像読み出し／記録部１８（以下、「画像記録部１８」という。）を介して、撮影画像の読み書きを行う。
【００１４】
クイックリターンミラー４は、主に、入射光を反射および透過可能なメインミラー４ａと、メインミラー４ａの背面側に設けられメインミラー４ａからの透過光を反射するサブミラー４ｂとから構成されており、クイックリターンミラー制御部（図示せず）により光路Ｘ外に跳ね上げが可能である。クイックリターンミラー４は、図２に示す位置と、図３に示す位置とを移動可能に設置されている。また、メインミラー４ａにより、入射光は、２つの光束に分割され、反射光束はファインダ光学系１９へ導かれ、透過光束は、サブミラー４ｂで反射されて、焦点検出用ユニット５に導かれる。
ファインダ光学系１９は、主に、被写体像が結像されるファインダースクリーン６と、被写体像を正立像に変換するペンタプリズム７と、被写体の正立像をファインダ接眼窓９に導く接眼レンズ８と、撮影者が被写体像を観察するファインダ接眼窓９とから構成されている。
【００１５】
焦点検出用ユニット５は、サブミラー４ｂからの反射光により、被写体からの光による結像が合焦状態にあるか否かを検知する（焦点を検出する）ユニットで、例えば、一般的な位相差検出方式によって、焦点検出を行う。
撮像部は、主に、光電変換を行うＣＣＤなどの撮像センサ１１と、撮像センサ１１を制御する撮像センサ制御部１３とから構成され、被写体像を撮影画像として取得する。撮像部により、入射光による被写体像（被写体の光学像）が、撮影画像を形成する電気的な画像信号に変換される。
画像表示部は、液晶モニタ１６（表示部の一例）と、液晶モニタ１６の動作を制御する画像表示制御部１５とから構成されている。液晶モニタ１６は、第１の表示領域と第２の表示領域とを含む表示領域を有し、撮像部で取得された画像を画像表示領域１００に表示することができる。画像表示制御部１５およびボディーマイコン１２により、液晶モニタ１６を制御する表示制御部が実現されている。
【００１６】
画像記録部１８は、例えば、図示せぬカード型記録媒体に対して撮影画像の記録および再生を行う。画像記録部１８は、画像記録部１８の動作を制御する画像記録制御部１７により制御される。
ボディーマイコン１２は、カメラ本体１の中枢を司る制御装置であり、各種シーケンスの制御を行う。ボディーマイコン１２には、例えば、ＣＰＵ、ＲＯＭ、ＲＡＭが搭載されており、ＲＯＭに格納されたプログラムがＣＰＵに読み込まれることで、ボディーマイコン１２は様々な機能を実現することができる。ボディーマイコン１２は、シャッター制御部１４、撮像センサ制御部１３、画像表示制御部１５、画像記録制御部１７等に対し、命令（例えば、制御信号やコマンド）を出力することで、シャッター制御部１４、撮像センサ制御部１３、画像表示制御部１５、画像記録制御部１７等にそれぞれの制御を実行させる。また、ボディーマイコン１２は、レンズマイコン２０とインターフェースを介して接続され、レンズマイコン２０とマイコン間通信を行う。
【００１７】
（１．３：ファインダ撮影モードとモニタ撮影モード）
このカメラシステム２００は、撮影モードとして、ファインダ撮影モードとモニタ撮影モードとを有する。ファインダ撮影モードは、撮影者がファインダ接眼窓９を介して被写体を観察しながら撮影する撮影モードであり、従来の一眼レフカメラにおける通常の撮影モードである。
このファインダ撮影モードにおいては、図２に示すように、クイックリターンミラー４は、光路Ｘ内の所定位置に配置されており、被写体光は、ファインダ光学系１９に導かれるので、撮影者は、ファインダ接眼窓９から被写体像を観察することができる。実際の撮影時には、クイックリターンミラー４が光路Ｘ外に跳ね上げられるとともに、シャッターユニット１０が開かれて撮像センサ１１の撮像面上に被写体像が結像される。
【００１８】
一方、モニタ撮影モードは、撮影者が液晶モニタ１６に表示される被写体を観察しながら撮影するモードである。モニタ撮影モードにおいては、図３に示すように、クイックリターンミラー４が光路Ｘ内から退避する。液晶モニタ１６には、撮像センサ１１を介して被写体の画像、いわゆるスルー画像が表示される。
（１．４：交換レンズユニットの上面の構成）
図４は、本実施の形態に係る交換レンズユニット２を取り付けたカメラシステム２００の上面図である。なお、図４に示すように、Ｘ軸、Ｙ軸およびＺ軸を定義する。すなわち、撮像光学系Ｌを構成するレンズの光軸と平行にＺ軸を定義し、撮影画像の長辺方向と平行にＹ軸を定義し、撮影画像の短辺方向と平行にＸ軸を定義する。
カメラシステム２００は、被写体を撮影する際に撮影者により支持される筐体を有する。このカメラシステム２００は、レリーズボタン３０と、シャッタースピード設定ダイヤル３１とを含む。
【００１９】
シャッタースピード設定ダイヤル３１はシャッタースピードの設定を行う操作部材である。
また、カメラ本体１は、液晶モニタ１６を含む。液晶モニタ１６は、カメラ本体１の撮影者側の面に設けられている。液晶モニタ１６の作用については後述する。
交換レンズユニット２は、最も被写体側（Ｚ軸方向正側）に、フィルタマウント３７を持つ。交換レンズユニット２は、フィルタマウント３７からカメラシステム２００本体側へ（Ｚ軸の負の方向）向けて順に、ズームリング３８と、フォーカスリング３９と、絞りリング４０とを有する。ズームリング３８と、フォーカスリング３９と、絞りリング４０とは、いずれも円筒状の回転操作部材であり、交換レンズユニット２の外周面において回転可能に配置されている。
【００２０】
（１．５：カメラ本体の背面の構成）
図５は、本実施の形態に係るカメラシステム２００の背面図である。カメラ本体１は、電源ボタン７０、撮影／再生モード切り替えレバー７１、ＭＥＮＵボタン７２、十字操作キー７３、ＳＥＴボタン７４、及び深度確認ボタン７６を含む。
電源ボタン７０は、カメラシステム２００の電源のＯＮ／ＯＦＦを行う操作部材である。撮影／再生モード切り替えレバー７１は、レバーの切り替えを行うことにより、撮影モードと再生モードとの切り替えを行う操作部材である。ここで、撮影モードとは、カメラシステム２００において、被写体を新たに撮影して画像信号にするために設定されるモードである。また、再生モードとは、カメラシステム２００において、既に撮影して格納されている画像信号を表示させるために設定されるモードである。
【００２１】
ＭＥＮＵボタン７２は、液晶モニタ１６に、各種操作メニューを表示させるための操作部材である。十字操作キー７３は、上下、左右の矢印キーを有し、各種操作メニューの表示項目を選択するための操作部材である。ＳＥＴボタン７４は、各種操作メニューの表示項目を確定するための操作部材である。
深度確認ボタン７６は、後述する絞込みモードへ移行させるためのボタンである。カメラシステム２００では、撮影者がこの深度確認ボタン７６を押すことにより、絞り込みモードへと移行する。
（１．６：カメラ本体の制御システム）
図６は、本発明の実施形態に係るカメラ本体１の制御システムを示すブロック図である。
【００２２】
ボディーマイコン１２は、レリーズボタン３０と、シャッタースピード設定ダイヤル３１と、撮影／再生モード切り替えレバー７１と、ＭＥＮＵボタン７２と、十字操作キー７３と、ＳＥＴボタン７４と、撮影モード切り替えボタン７５と、深度確認ボタン７６とから信号を受信可能である。また、ボディーマイコン１２は、シャッター制御部１４およびクイックリターンミラー制御部６０へ信号を送信可能である。さらに、ボディーマイコン１２は、ボディーマイコン１２と画像記録制御部１７との間の双方向通信、ボディーマイコン１２と画像表示制御部１５と間の双方向通信、およびボディーマイコン１２とデジタル信号処理部５３との間の双方向通信を行うことができる。また、ボディーマイコン１２は、信号を格納するメモリ６８を持つ。
シャッター制御部１４は、ボディーマイコン１２からの制御信号に基づいてシャッター駆動モータ１０ａを駆動する。クイックリターンミラー制御部６０は、ボディーマイコン１２からの制御信号に基づき、クイックリターンミラー駆動モータ６１を駆動する。
【００２３】
レリーズボタン３０は、ボディーマイコン１２へシャッタータイミングを示す情報を送信する。シャッタースピード設定ダイヤル３１は、設定されたシャッタースピード情報及びシャッターモード情報を送信する。
撮像センサ１１は、ＣＣＤ（Ｃｈａｒｇｅ  Ｃｏｕｐｌｅｄ  Ｄｅｖｉｃｅ）等により構成される。撮像センサ１１は、交換レンズユニット２の撮像光学系Ｌにより形成される光学的な像を電気的な画像信号に変換する。撮像センサ１１は、撮像センサ制御部１３により駆動制御される。撮像センサ１１から出力される画像信号は、アナログ信号処理部５１と、Ａ／Ｄ変換部５２と、デジタル信号処理部５３と、バッファメモリ５４と、画像圧縮部５６とにより、順に処理される。
画像信号は、撮像センサ１１から、アナログ信号処理部５１へ送信される。アナログ信号処理部５１は、撮像センサ１１が出力する画像信号に、ガンマ処理等のアナログ信号処理を施す。アナログ信号処理部５１から出力された画像信号は、Ａ／Ｄ変換部５２へ送信される。Ａ／Ｄ変換部５２は、アナログ信号処理部５１から出力されたアナログ画像信号をデジタル信号に変換する。
【００２４】
Ａ／Ｄ変換部５２から出力された画像信号は、デジタル信号処理部５３へ送信される。デジタル信号処理部５３は、Ａ／Ｄ変換部５２によりデジタル信号に変換された画像信号に対して、ノイズ除去や輪郭強調等のデジタル信号処理を施す。デジタル信号処理部５３から出力された画像信号は、バッファメモリ５４へ送信される。バッファメモリ５４は、デジタル信号処理部５３により処理された画像信号を一旦記憶する。バッファメモリ５４は、ＲＡＭ（Ｒａｎｄｏｍ  Ａｃｃｅｓｓ  Ｍｅｍｏｒｙ）等により構成される。
バッファメモリ５４から出力された画像信号は、画像記録制御部１７からの命令に従って、画像圧縮部５６に送信される。画像圧縮部５６は、画像記録制御部１７の命令に従って画像信号に圧縮処理を行う。画像信号は、この圧縮処理により、元のデータより小さなデータサイズになる。例えばこの圧縮方式として、ＪＰＥＧ（Ｊｏｉｎｔ  Ｐｈｏｔｏｇｒａｐｈｉｃ  Ｅｘｐｅｒｔｓ  Ｇｒｏｕｐ）方式等が用いられる。
【００２５】
圧縮された画像信号は、画像圧縮部５６から画像記録部１８及び液晶モニタ１６へ送信される。一方、ボディーマイコン１２は、画像記録制御部１７及び画像表示制御部１５へ制御信号を送信する。画像記録制御部１７は、ボディーマイコン１２からの制御信号に基づいて画像記録部１８を制御する。画像表示制御部１５は、ボディーマイコン１２からの制御信号に基づいて液晶モニタ１６を制御する。
画像記録部１８は、画像記録制御部１７の命令に基づいて、画像信号を内部メモリ及び／又はリムーバブルメモリに記録する。画像記録部１８は、画像記録制御部１７の命令に基づいて、画像信号とともに記憶すべき情報を、内部メモリ及び／又はリムーバブルメモリに記録する。画像信号とともに記憶すべき情報は、画像を撮影した際の日時，焦点距離情報，シャッタースピード情報，絞り値情報および撮影モード情報を含む。
【００２６】
液晶モニタ１６は、画像表示制御部１５の命令に基づいて、画像信号を可視画像として表示する。液晶モニタ１６は、画像表示制御部１５の命令に基づいて、画像信号とともに表示すべき情報を、表示する。画像信号とともに表示すべき情報は、焦点距離情報，シャッタースピード情報，絞り値情報，撮影モード情報および合焦状態情報の表示を含む。
また、液晶モニタ１６は、画像表示制御部１５の命令に基づいて、所定の撮影／再生モードにおいて、撮影者により設定されるべき設定画面を表示する。
撮影者が撮影する場合には、電源ボタン７０をＯＮにし、撮影／再生モード切り替えレバー７１を撮影モードに合わせる。これによりカメラシステム２００本体の電源が入り、液晶モニタ１６には、撮像センサ１１により電気的な画像信号に変換された被写体の光学像が可視画像として、画像表示制御部１５の命令に基づいて表示される。
【００２７】
カメラシステム２００が撮影モードにある状態において、撮影者がＭＥＮＵボタン７２を押すと、液晶モニタ１６は、画像表示制御部１５の命令に基づき、撮影モードにおいて撮影者により変更可能な設定の項目を、アイコン化した設定メニュー画像として表示する。
（１．７：交換レンズユニットの制御システム）
図７は、本発明の実施形態に係る交換レンズユニット２内の制御システムを示すブロック図である。
レンズマイコン２０は、レンズマイコン２０とズーム制御部６２との間の双方向通信、レンズマイコン２０とフォーカス制御部２６と間の双方向通信、およびレンズマイコン２０と絞り制御部２７との間の双方向通信を行うことができる。
【００２８】
ズーム制御部６２は、ズームリニアセンサ６００から、Ａ／Ｄ変換部６０１を介して、信号を受信可能である。ズーム制御部６２は、ズームリニアセンサ６００により検出されたズームリング３８の回転量を撮像光学系Ｌの焦点距離情報に変換する。ズーム制御部６２は、焦点距離情報をレンズマイコン２０へ送信する。
フォーカス制御部２６は、フォーカスリニアセンサ６３から信号を受信可能であり、Ａ／Ｄ変換部６４を介して、フォーカス駆動モータ６５へ信号を送信可能である。フォーカス制御部２６は、フォーカスリニアセンサ６３により検出され、Ａ／Ｄ変換部６４によりデジタル化されたフォーカスリング３９の回転角度より、フォーカスモードを判断する。フォーカス制御部２６は、判断した結果をレンズマイコン２０へ送信する。フォーカス制御部２６は、レンズマイコン２０からの命令に基づいてフォーカスリング３９の回転角度より検出した物点距離情報を、レンズマイコン２０へ送信する。フォーカス制御部２６は、レンズマイコン２０からの制御信号に基づいてフォーカス駆動モータ６５を駆動する。
【００２９】
絞り制御部２７は、絞りリニアセンサ６６から信号を受信可能であり、Ａ／Ｄ変換部６７を介して、絞り駆動モータ２８ｂへ信号を送信可能である。絞り制御部２７は、絞りリニアセンサ６６により検出され、Ａ／Ｄ変換部６７によりデジタル化された絞りリング４０の回転角度により、絞りモードを判断する。絞り制御部２７は、判断した結果をレンズマイコン２０へ送信する。絞り制御部２７は、レンズマイコン２０からの命令に基づいて絞りリング４０の回転角度より検出した絞り値情報を、レンズマイコン２０に送信する。絞り制御部２７は、レンズマイコン２０からの制御信号に基づいて絞り駆動モータ２８ｂを駆動する。
＜２：カメラシステムの動作＞
（２．１：ファインダ撮影モード）
次に、カメラシステム２００の撮影動作について説明する。まず、図１、図２、図６および図７を用いて、撮影者がファインダ接眼窓９を覗いて撮影するファインダ撮影モードにおける駆動シーケンスについて説明する。
【００３０】
撮影者のレリーズボタン３０の半押し動作により、カメラシステム２００内のボディーマイコン１２および各種ユニットには、電源が供給される。電源供給により起動するカメラシステム２００内のボディーマイコン１２は、同じく電源供給で起動する交換レンズユニット２内のレンズマイコン２０より、レンズマウント２１およびボディーマウント２３を介して、各種レンズデータを受け取り、内蔵するメモリ６８に保存する。次に、ボディーマイコン１２は、焦点検出用ユニット５より、焦点ずれ量（以後、「Ｄｆ量」という）を取得し、そのＤｆ量分、フォーカスレンズ群２５を駆動するようレンズマイコン２０に指示する。レンズマイコン２０は、フォーカス制御部２６をコントロールして、Ｄｆ量分だけフォーカスレンズ群２５を動作させる。このように焦点検出とフォーカスレンズ群２５の駆動とを繰り返すうち、Ｄｆ量は小さくなり、所定量以下になったときにボディーマイコン１２により合焦と判断され、フォーカスレンズ群２５の駆動が停止される。
【００３１】
この後、ボディーマイコン１２は、撮影者によりレリーズボタン３０が全押しされると、レンズマイコン２０に対して、絞り値を不図示の測光センサからの出力に基づいて計算された絞り値にするよう指示する。そして、レンズマイコン２０は、絞り制御部２７をコントロールし、指示された絞り値まで、絞りを絞り込む。絞り値の指示と同時にボディーマイコン１２は、クイックリターンミラー制御部６０により、クイックリターンミラー４を光路Ｘ内から退避させる。クイックリターンミラー４の退避完了後、撮像センサ制御部１３は、撮像センサ１１の駆動を指示し、シャッターユニット１０の動作を指示する。なお、撮像センサ制御部１３は、不図示の測光センサからの出力に基づいて計算されたシャッタースピードの時間だけ、撮像センサ１１を露光する。
露光完了後、撮像センサ制御部１３により撮像センサ１１から読み出された画像データは、所定の画像処理を実行された後、液晶モニタ１６に撮影画像として表示される。また、撮像センサ１１から読み出され、所定の画像処理を実行された画像データは、画像読み出し／記録部１８を介して、記憶媒体に画像データとして書き込まれる。また、露光終了後、クイックリターンミラー４とシャッターユニット１０とは、初期位置にリセットされる。ボディーマイコン１２は、レンズマイコン２０へ、絞りを開放位置にリセットするよう指示し、レンズマイコン２０は、各ユニットに対してリセット命令を行う。リセット完了後、レンズマイコン２０は、ボディーマイコン１２にリセット完了を伝える。ボディーマイコン１２は、レンズマイコン２０からのリセット完了情報と露光後の一連処理の完了を待ち、その後、レリーズボタン３０の状態が、押し込みされていない状態であることを確認し、撮影シーケンスを終了させる。
【００３２】
（２．２：モニタ撮影モード）
次に、図１、図３、図６および図７を用いて、撮影者が液晶モニタ１６を用いて撮影するモニタ撮影モードにおける駆動シーケンスについて説明する。
液晶モニタ１６を用いて撮影する場合、撮影者は、撮影モード切り替えボタン７５を操作して、モニタ撮影モードに設定する。モニタ撮影モードに設定されると、ボディーマイコン１２は、クイックリターンミラー４を光路Ｘ内から退避させる。これにより、被写体からの光が撮像センサ１１に達するので、撮像センサ１１は、撮像センサ１１上に結像される被写体からの光を画像データに変換し、画像データとして取得し、出力することができる。撮像センサ制御部１３により撮像センサ１１から読み出された画像データは、所定の画像処理を実行された後、液晶モニタ１６に撮影画像として表示される。このように、撮影画像を液晶モニタ１６に表示させることにより、撮影者は、ファインダ接眼窓９を覗くことなく、被写体を追いかけることが可能となる。
【００３３】
次に、撮影者のレリーズボタン３０の半押し動作により、カメラシステム２００のボディーマイコン１２は、交換レンズユニット２内のレンズマイコン２０より、レンズマウント２１およびボディーマウント２３を介して、各種レンズデータを受け取り、内蔵するメモリ６８に保存する。次に、ボディーマイコン１２は、クイックリターンミラー制御部６０により、クイックリターンミラー４を光路Ｘ内の所定位置に戻し、焦点検出用ユニット５より、Ｄｆ量を取得し、そのＤｆ量分、フォーカスレンズ群２５を駆動するようにレンズマイコン２０に指示する。レンズマイコン２０は、フォーカス制御部２６をコントロールして、Ｄｆ量分だけフォーカスレンズ群２５を動作させる。このように焦点検出とフォーカスレンズ群２５の駆動とを繰り返すうち、Ｄｆ量は小さくなり、所定量以下になったときにボディーマイコン１２により合焦と判断され、フォーカスレンズ群２５の駆動が停止される。
【００３４】
この後、ボディーマイコン１２は、撮影者によりレリーズボタン３０が全押しされると、レンズマイコン２０に対して、絞り値を不図示の測光センサからの出力に基づいて計算された絞り値にするよう指示する。そして、レンズマイコン２０は、絞り制御部２７をコントロールし、指示された絞り値まで、絞りを絞り込む。絞り値の指示と同時にボディーマイコン１２は、クイックリターンミラー制御部６０により、クイックリターンミラー４を光路Ｘ内から退避させる。クイックリターンミラー４の退避完了後、撮像センサ制御部１３は、撮像センサ１１の駆動を指示し、シャッターユニット１０の動作を指示する。なお、撮像センサ制御部１３は、不図示の測光センサからの出力に基づいて計算されたシャッタースピードの時間だけ、撮像センサ１１を露光する。
露光完了後、撮像センサ制御部１３により撮像センサ１１から読み出された画像データは、所定の画像処理が実行された後、液晶モニタ１６に撮影画像として表示される。また、撮像センサ１１から読み出され、所定の画像処理が施された画像データは、画像読み出し／記録部１８を介して、記憶媒体に画像データとして書き込まれる。また、露光終了後、クイックリターンミラー４は、光路Ｘ内から退避した状態に位置しているので、引き続き、撮影者は、モニタ撮影モードにより、被写体を液晶モニタ１６上の撮影画像として見ることができる。
【００３５】
また、モニタ撮影モードを解除する場合には、撮影者が、撮影モード切り替えボタン７５を操作して、通常の撮影モード、すなわち、ファインダ接眼窓９を覗いて撮影するファインダ撮影モードに移行させる。ファインダ撮影モードに移行された場合、クイックリターンミラー４は、光路Ｘ内の所定位置に戻される。また、カメラシステム２００（例えば、一眼レフデジタルカメラ）本体の電源を切断する際にも、クイックリターンミラー４は、光路Ｘ内の所定位置に戻される。
（２．３：カメラシステムの露出設定動作）
次に、図４、図６を用いて、カメラシステム２００の露出設定動作について説明する。カメラシステム２００は、通常撮影領域に対して自動で露出設定を行うプログラム撮影モードと、シャッタースピードを手動で設定するシャッタースピード優先撮影モードと、絞り値を手動で設定する絞り優先撮影モードと、シャッタースピード及び絞り値を両方とも手動で設定するマニュアル撮影モードとの４つの露出設定モードを持つ。
【００３６】
カメラシステム２００の操作を行う撮影者は、絞りリング４０を所定の回転角度とシャッタースピード設定ダイヤル３１の回転角度とを組み合わせて設定することにより、４つの露出設定モードを選択することができる。すなわち、撮影者は、絞りリング４０の文字「Ａ」を指標３３と一致させた状態で、シャッタースピード設定ダイヤル３１をオートの位置に合わせることで、プログラム撮影モードに設定することができる。撮影者は、絞りリング４０の文字「Ａ」を指標３３と一致させた状態で、シャッタースピード設定ダイヤル３１をマニュアル設定可能な位置に合わせることで、シャッタースピード優先撮影モードに設定することができる。撮影者は、絞りリング４０の文字「２」〜「１１」のいずれかを指標３３と一致させた状態で、シャッタースピード設定ダイヤル３１をオートの位置に合わせることで、絞り優先撮影モードに設定することができる。撮影者は、絞りリング４０の文字「２」〜「１１」のいずれかを指標３３と一致させた状態で、シャッタースピード設定ダイヤル３１をマニュアル設定可能な位置に合わせることで、マニュアル撮影モードに設定することができる。
【００３７】
以下、４つの露出設定モードの内、プログラム撮影モードと、シャッタースピード優先撮影モードとを総称してオート絞りモードという。また、以下、絞り優先撮影モードと、マニュアル撮影モードとを総称してマニュアル絞りモードという。
（２．４：オート絞りモードの露出設定動作）
絞りリニアセンサ６６は、回転角度に応じた信号を絞り制御部２７へ出力する。絞りリング４０の文字「Ａ」を指標３３と一致させた状態にあるとき、撮影者によりレリーズボタン３０が操作されると、絞り制御部２７は、絞りリニアセンサ６６から受信した信号に基づいて露出設定モードがオート絞りモードであると判断する。判断した結果は、レンズマイコン２０およびボディーマイコン１２へ送信される。ボディーマイコン１２への送信は、レンズマイコン２０とボディーマイコン１２とのマイコン間通信を介して行われる。
【００３８】
また、シャッタースピード設定ダイヤル３１は、回転角度に応じた信号をボディーマイコン１２へ出力する。ボディーマイコン１２は、絞り制御部２７から受信した判断結果と、シャッタースピード設定ダイヤル３１からの信号とに基づいて、露出設定モードがオート絞りモードであることを認識する。
ボディーマイコン１２は、デジタル信号処理部５３へ命令を送信する。デジタル信号処理部５３は、受信した命令に基づいて所定のタイミングで画像信号をボディーマイコン１２へ送信する。ボディーマイコン１２は、受信した画像信号に基づいて露出値を演算する。ボディーマイコン１２は、露出設定モードがプログラム撮影モードである場合、調整可能な絞り値とシャッタースピードとから適切な組み合わせを演算する。ボディーマイコン１２は、露出設定モードがシャッタースピード優先撮影モードである場合、設定されたシャッタースピードに対する適切な絞り値を演算する。
【００３９】
ボディーマイコン１２は、演算結果に基づいて制御信号を生成する。ボディーマイコン１２は、演算された絞り値に基づく制御信号を、交換レンズユニット２側のレンズマイコン２０を介して絞り制御部２７へ送信する。ボディーマイコン１２は、露出設定モードがプログラム撮影モードである場合、演算されたシャッタースピードに基づく制御信号をシャッター制御部１４へ送信する。ボディーマイコン１２は、露出設定モードがシャッタースピード優先撮影モードである場合、シャッタースピード設定ダイヤル３１により設定されたシャッタースピードについての情報をシャッター制御部１４へ送信する。
併せて、ボディーマイコン１２は、画像表示制御部１５に制御信号を送信する。画像表示制御部１５は、液晶モニタ１６を駆動する。液晶モニタ１６は、制御信号の内容がプログラム撮影モードを指示するものであるとき、露出設定モードがプログラム撮影モードである旨の表示を行う。液晶モニタ１６、制御信号の内容がシャッタースピード優先撮影モードを指示するものであるとき、露出設定モードがシャッタースピード優先撮影モードである旨の表示を行う。
【００４０】
絞り制御部２７は、レンズマイコン２０からの制御信号に基づいて絞り駆動モータ２８ｂを駆動するための駆動信号を生成する。絞り駆動モータ２８ｂは、駆動信号に基づいて駆動される。絞り駆動モータ２８ｂの駆動により、絞り羽根が駆動される。
シャッター制御部１４は、ボディーマイコン１２からの制御信号に基づいてシャッター駆動モータ１０ａを駆動するための駆動信号を生成する。シャッター駆動モータ１０ａは、駆動信号に基づいて駆動される。シャッター駆動モータ１０ａの駆動により、シャッターユニット１０が駆動される。
以上のようにして、カメラシステム２００のオート絞りモードによる露出設定が行われる。以上の動作は、撮影者のレリーズボタン３０の操作後、瞬時に実行される。
ボディーマイコン１２は、撮影が終了すると、画像記録制御部１７に制御信号を送信する。画像記録部１８は、画像記録制御部１７の命令に基づいて、画像信号を内部メモリ及び／又はリムーバブルメモリに記録する。
【００４１】
画像記録部１８は、画像記録制御部１７の命令に基づいて、制御信号の内容がプログラム撮影モードを指示するものであるとき、画像信号とともに露出設定モードがプログラム撮影モードである旨の情報を内部メモリ及び／又はリムーバブルメモリに記録する。画像記録部１８は、画像記録制御部１７の命令に基づいて、制御信号の内容がシャッタースピード優先撮影モードを指示するものであるとき、画像信号とともに露出設定モードがシャッタースピード優先撮影モードである旨の情報を内部メモリ及び／又はリムーバブルメモリに記録する。
（２．５：マニュアル絞りモードの露出設定動作）
次に、絞りリング４０の文字「２」〜「１１」のいずれかの位置を指標３３と一致させた状態にあるとき、撮影者によりレリーズボタン３０が操作されると、絞り制御部２７は、絞りリニアセンサ６６から受信した信号に基づいて露出設定モードがマニュアル絞りモードであると判断する。判断した結果は、レンズマイコン２０へ送信される。また、シャッタースピード設定ダイヤル３１は、回転角度に応じた信号をボディーマイコン１２へ出力する。
【００４２】
ボディーマイコン１２は、絞り制御部２７から受信した判断結果と、シャッタースピード設定ダイヤル３１からの信号とに基づいて、露出設定モードがマニュアル絞りモードであることを認識する。
レンズマイコン２０は、絞り制御部２７に対して、絞りリング４０の回転角度より検出した絞り値情報を要求する。絞り制御部２７は、レンズマイコン２０からの命令に基づいて絞りリング４０の回転角度より検出した絞り値情報を、レンズマイコン２０およびボディーマイコン１２へ送信する。ボディーマイコン１２への送信は、レンズマイコン２０とボディーマイコン１２とのマイコン間通信を介して行われる。ボディーマイコン１２は、露出設定モードが絞り優先撮影モードである場合、デジタル信号処理部５３へ命令を送信する。デジタル信号処理部５３は、受信した命令に基づいて所定のタイミングで画像信号をボディーマイコン１２へ送信する。
【００４３】
ボディーマイコン１２は、露出設定モードが絞り優先撮影モードである場合、受信した画像信号に基づいてシャッタースピードを演算する。ボディーマイコン１２は、露出設定モードが絞り優先撮影モードである場合、検出された絞り値に対する適切なシャッタースピードを演算する。ボディーマイコン１２は、露出設定モードが絞り優先撮影モードである場合、演算結果に基づいて制御信号を生成する。ボディーマイコン１２は、露出設定モードが絞り優先撮影モードである場合、演算されたシャッタースピードに基づく制御信号をシャッター制御部１４へ送信する。ボディーマイコン１２は、露出設定モードがマニュアル撮影モードである場合、シャッタースピード設定ダイヤル３１により設定されたシャッタースピードについての情報をシャッター制御部１４へ送信する。
併せて、ボディーマイコン１２は、画像表示制御部１５に制御信号を送信する。画像表示制御部１５は、液晶モニタ１６を駆動する。液晶モニタ１６は、制御信号の内容が絞り優先撮影モードを指示するものであるとき、露出設定モードが絞り優先撮影モードである旨の表示を行う。液晶モニタ１６は、制御信号の内容がマニュアル撮影モードを指示するものであるとき、露出設定モードがマニュアル撮影モードである旨の表示を行う。
【００４４】
絞り制御部２７は、レンズマイコン２０からの制御信号に基づいて絞り駆動モータ２８ｂを駆動するための駆動信号を生成する。絞り駆動モータ２８ｂは、駆動信号に基づいて駆動される。絞り駆動モータ２８ｂの駆動により、絞り羽根が駆動される。シャッター制御部１４は、ボディーマイコン１２からの制御信号に基づいてシャッター駆動モータ１０ａを駆動するための駆動信号を生成する。シャッター駆動モータ１０ａは、駆動信号に基づいて駆動される。シャッター駆動モータ１０ａの駆動により、シャッターユニット１０が駆動される。
以上のようにして、カメラシステム２００のマニュアル絞りモードによる露出設定が行われる。以上の動作は、撮影者のレリーズボタン３０の操作後、瞬時に実行される。
ボディーマイコン１２は、撮影が終了すると、画像記録制御部１７に制御信号を送信する。画像記録部１８は、画像記録制御部１７の命令に基づいて、画像信号を内部メモリ及び／又はリムーバブルメモリに記録する。
【００４５】
画像記録部１８は、画像記録制御部１７の命令に基づいて、制御信号の内容が絞り優先モードを指示するものであるとき、画像信号とともに露出設定モードが絞り優先モードである旨の情報を内部メモリ及び／又はリムーバブルメモリに記録する。画像記録部１８は、画像記録制御部１７の命令に基づいて、制御信号の内容がマニュアル撮影モードを指示するものであるとき、画像信号とともに露出設定モードがマニュアル撮影モードである旨の情報を内部メモリ及び／又はリムーバブルメモリに記録する。
（２．６：深度確認モードの動作）
このカメラシステム２００では、撮影時の絞り値を決定するために、撮影前に、絞り値の異なる複数の画像を並べて比較できる深度確認モードがさらに設けられている。
カメラシステム２００のボディーマイコン１２により、深度確認ボタン７６（図５）が押されたか否かが判断される。深度確認ボタン７６が押された場合には、深度確認モードに移行する。以下、深度確認モードについて具体的に説明する。
【００４６】
深度確認ボタン７６が押されると、異なる絞り値で連続して撮影が行われる。具体的には、上述のステップＳ１からステップＳ４までの動作が行われる。連続撮影された画像は、フォルダ８２内に記録される。
続けて、比較再生モードに移行する。ここでは、撮影／再生モード切り替えレバー７１により、比較再生モードが選択操作されたかどうかにかかわらず、移行する。そして、撮影者の操作により、最適画像の選択および決定される。具体的には、上述したステップＳ１０３からステップＳ１１８の動作が行われる。
続けて、最適画像として選択された画像と同じ絞り値に実際の絞り値が設定される。具体的には、ボディーマイコン１２は、最適画像として選択された画像についての絞り値をフォルダ８２に記録されたファイル１８２から取得し、取得した絞り値をレンズマイコン２０に送信する。レンズマイコン２０は、絞り制御部２７に、実際の絞り値を取得された絞り値に設定するように命令を出す。絞り制御部２７は、絞り駆動モータ２８ｂを駆動し、絞りを当該絞り値の状態に設定する。
【００４７】
続けて、設定された絞り値を用いたマニュアル絞りモードでの撮影待機状態に移行し、深度確認モードを終了する。
その後、撮影者は、深度確認モードで画像を比較した上で選択した最適画像と同じ絞り値での撮影をそのまま行うことができる。
（２．７：連続撮影モードの動作）
図１、図３、図６および図７を用いて、レリーズボタン３０の１回の動作により撮影条件を変えて複数の撮影を連続して行う連続撮影モードにおける駆動シーケンスについて説明する。
撮影／再生モード切り替えレバー７１を回して連続撮影モードを選択操作すると、連続撮影モードが選択されたことがボディーマイコン１２に送信される。併せて、ボディーマイコン１２は、画像表示制御部１５に制御信号を送信する。この制御信号に基づいて画像表示制御部１５は液晶モニタ１６を駆動する。具体的には、画像表示制御部１５は液晶モニタ１６に連続撮影を行う撮影条件を選択する操作画面を表示させる。
【００４８】
撮影者は、十字操作キー７３を操作して操作画面に表示された撮影条件を選択し、ＳＥＴボタン７４を押して撮影条件を決定する。ボディーマイコン１２は、選択された撮影条件を判断する。撮影条件としては、例えば、画像の明るさ、露出および絞り値が挙げられる。ボディーマイコン１２は、撮影条件を変化させながら、複数の画像を連続撮影する。このように連続撮影された複数の画像を「一連の画像」と称する。また、撮影者は、十字操作キー７３を操作して、変化させたい条件の値など決定することができる。
以下、図９を用いて、連続撮影の一例として、撮影者が絞り値を変化させて連続撮影する動作を説明する。
撮影条件として絞り値が選択されると、絞りリング４０により設定されている絞り値（例えばＦ８）に関わらず、ボディーマイコン１２はレンズマイコン２０に対して、絞り値が設定可能な最小の絞り値（例えばＦ２）となるように命令する（ステップＳ１）。
【００４９】
併せて、ボディーマイコン１２は、画像表示制御部１５に制御信号を送信する。この制御信号に基づいて画像表示制御部１５は液晶モニタ１６を駆動する。具体的には、制御信号の内容が絞り値変化による連続撮影モードを指示するものであるとき、画像表示制御部１５は、絞り値変化による連続撮影モードである旨を液晶モニタ１６に表示させる（ステップＳ２）。
撮影者のレリーズボタン３０の全押し操作後、露出設定モードが絞り優先撮影モードである場合（前述）と同様の撮影動作が、絞り値を最小値から１段ずつ大きくして繰り返し行われる。以下、レリーズボタン３０の全押し操作後の動作を具体的に説明する。
ボディーマイコン１２は、レンズマイコン２０より受信した絞り値に対する適切なシャッタースピードを演算し、この演算結果に基づいて制御信号を生成する。ボディーマイコン１２は、この制御信号をシャッター制御部１４へ送信する（ステップＳ３）。
【００５０】
絞り制御部２７は、レンズマイコン２０からの制御信号に基づいて絞り駆動モータ２８ｂを駆動するための駆動信号を生成する。絞り駆動モータ２８ｂは、この駆動信号に基づいて絞り羽根を駆動する。シャッター制御部１４は、ボディーマイコン１２からの制御信号に基づいてシャッター駆動モータ１０ａを駆動するための駆動信号を生成する。シャッター駆動モータ１０ａは、この駆動信号に基づいてシャッターユニット１０を駆動する（ステップＳ４）。
設定された撮影条件により１枚の画像の撮影を行う。ボディーマイコン１２は、撮影が終了すると、画像記録制御部１７に制御信号を送信する。画像記録部１８は、画像記録制御部１７の命令に基づいて、画像信号を内部メモリ及び／又はリムーバブルメモリに記録する（ステップＳ５）。
【００５１】
ボディーマイコン１２は、前回の撮影時の絞り値が最大である場合は、撮影動作を終了する（ステップＳ６）。前回の撮影時の絞り値が最大でない場合は、ボディーマイコン１２は、１段大きい絞り値となるようにレンズマイコン２０に命令する（ステップＳ６、Ｓ７）。この命令によりレンズマイコン２０において絞り値の設定が行われ、ボディーマイコン１２によりステップＳ３からステップＳ５の動作が行われる。絞り値が最大になるまで、ステップＳ３からステップＳ５の動作が繰り返される。
なお、絞り値の変化のさせ方は、最小値から最大値へ１段ずつ変化させる方法だけに限られず、例えば２段ずつ変化させる方法や最大値から最小値へ変化させる方法等、他の方法であってもよい。
図８に、撮影された一連の画像をＳＤカードなどの記録媒体５５に記録する際のフォルダ構造を示す。撮影者が一連の画像を撮影するたびに記録媒体５５の下にフォルダが１つずつ作成される。フォルダ８２〜８６は、合計５回の連続撮影にそれぞれ対応するフォルダである。同時に、ボディーマイコン１２は、各フォルダに一連の画像（例えば、フォルダ８２の場合、画像８２Ａ、８２Ｂ、８２Ｃ）を全て保存する。さらに、ボディーマイコン１２は、例えば撮影条件に関する情報を含むファイル１８２もフォルダ８２内に保存する。ファイル１８２には、一つのフォルダ８２に保存されている一連の画像８２Ａ〜８２Ｃを取得する際に変化させた撮影条件についての情報、また、それぞれの画像８２Ａ〜８２Ｃについての撮影条件の値が記録されている。例えば、この一連の画像８２Ａ〜８２Ｃの中で、画像８２Ａの絞り値はＦ２、画像８２Ｂの絞り値はＦ５．６、画像８２Ｃの絞り値はＦ８である。画像８２Ａ、８２Ｂおよび８２Ｃは、第１画像、第２画像および第３画像の一例である。
【００５２】
（２．８：比較再生モードの動作）
撮影者が連続撮影された複数の画像（一連の画像）の中から最適な画像を比較しながら選択するため、複数の画像を比較表示する比較再生モードの動作について説明する。
図１０および図１１は比較再生モードの動作を説明したフローチャートである。ボディーマイコン１２は、撮影／再生モード切り替えレバー７１により、比較再生モードが選択操作されたかどうか判断する（ステップＳ１０１）。比較再生モードが選択操作された場合には比較再生モードへ移行する。
比較再生モードでは、まず画像を比較する際の基準となる基準画像が選択される。具体的には図１２に示すように、比較再生モードに入ると画像表示制御部１５は各フォルダの中の１枚の代表画像をサムネイルにて表示する。撮影者は十字操作キー７３で図１２に示された複数のサムネイル画像のうち所望のサムネイル画像にカーソル枠９０を合わせて画像を選択する。この状態で決定ボタン７７を押すと、最適な画像の選択を行いたい一連の画像が選択される。
【００５３】
図１２に示すサムネイル画像のうち、撮影者がサムネイル画像８２Ａを選択した場合、ボディーマイコン１２は画像８２Ａが保存されているフォルダ８２の中の一連の画像から最適な画像を撮影者に選択させる段階へと進む。
具体的には、画像表示制御部１５は液晶モニタ１６に画像８２Ａを表示させる。液晶モニタ１６の表示領域は例えば２分割されており、２分割されている領域の片側にカーソル枠９０が表示される。
次に、撮影者は、ダイヤル７８を回して、フォルダ８２に記録されている一連の画像の中から基準となる画像を選択する。このときの表示例を図１３（ａ）および（ｂ）に示す。最初に図１３（ａ）に示す表示例のように、絞り値がＦ２である画像８２Ａが表示されている。ダイヤル７８が右に１ステップ回転すると、図１３（ｂ）に示す表示例のように、画像８２Ａの次に絞り値が大きいＦ５．６の画像８２Ｂが表示される。この状態でダイヤル７８が左に１ステップ回転すると、図１３（ａ）に示す表示例のように、画像８２Ｂの次に絞り値が小さいＦ２の画像８２Ａが表示される。このように、ダイヤル７８の操作により基準となる画像を選択することができる。
【００５４】
ダイヤル７８の操作により基準にしたい画像を選択した後、十字操作キー７３を操作することにより、カーソル枠９０を画像の左半分、または、右半分に合わせ、どちらか一方を基準画像として選択する（ステップＳ１０２）。
その後、決定ボタン７７が操作されることにより基準画像を決定する（ステップＳ１０３）。以下、基準画像として、絞り値がＦ２である画像８２Ａの左半分（基準画像８２Ａ′）を選択した場合について説明する。
画像表示制御部１５は基準画像８２Ａ′を液晶モニタ１６の片側に表示する（ステップＳ１０４）。次に、画像表示制御部１５は液晶モニタ１６の基準画像８２Ａ′が表示されていない側（例えば図１４（ａ）の右側）に比較画像が表示される。具体的には、画像表示制御部１５は、基準画像８２Ａ′が含まれる画像８２Ａが記録されたフォルダ８２内に格納された画像のうち画像８２Ａと異なる画像（例えば、画像８２Ｂまたは８２Ｃ）を１枚選択する。選択された画像における位置が画像８２Ａにおける基準画像８２Ａ′の位置と同じ部分（具体的には、カーソル枠９０で選択された左半分の画像）を比較画像として液晶モニタ１６の右半分に表示する。本実施形態では、画像８２Ａの次に大きい絞り値Ｆ５．６で取得された画像８２Ｂの左半分の画像が比較画像８２Ｂ′として液晶モニタ１６の右半分に表示される。このように、液晶モニタ１６には、撮影条件の異なる複数の画像のうち、それぞれ同一領域の２つの画像が基準画像および比較画像として並べて表示される。
【００５５】
次に、撮影者はダイヤル７８を回して、フォルダ８２に記録されている一連の画像のうち基準画像８２Ａ′を含む画像８２Ａ以外の画像の中から比較画像を選択する。選択された比較画像が液晶モニタ１６に表示される（ステップＳ１０５）。このときの表示例を図１４（ａ）および（ｂ）に示す。図１４（ａ）に示す表示例のように、液晶モニタ１６の表示領域の左側には、基準画像８２Ａ′（絞り値がＦ２である画像８２Ａの左半分の画像）が表示され、液晶モニタ１６の表示領域の右側には、比較画像８２Ｂ′（絞り値がＦ５．６の画像８２Ｂの左半分の画像）が表示されている。ダイヤル７８を右に１ステップ回転させると、図１４（ｂ）に示すように、液晶モニタ１６の表示領域の右側には、ダイヤル７８を操作する前に表示されていた比較画像８２Ｂ′の次に大きい絞り値Ｆ８で取得された画像８２Ｃの左半分の画像８２Ｃ′が比較画像として表示される。また、ダイヤル７８を左に１ステップ回転させると、図１４（ａ）に示すように、液晶モニタ１６の表示領域の右側には、ダイヤル７８を操作する前に表示されていた比較画像８２Ｃ′の次に小さい絞り値Ｆ５．６で取得された画像８２Ｂの左半分の画像８２Ｂ′が表示される。このように、ダイヤル７８の操作により、液晶モニタ１６の表示領域の左側に基準画像８２Ａ′が表示された状態を維持したまま、右側の比較画像を更新表示できる。
【００５６】
このとき、ボディーマイコン１２はファイル８２Ｚの内容から、基準画像および比較画像の両者が絞り値を変化させた画像であること、及び、それぞれの絞り値を知ることができる。これらの情報をもとに、画像表示制御部１５は液晶モニタ１６に基準画像と比較画像の絞り値をそれぞれ表示させる。
ここで、基準画像と比較画像のどちらかを選択するに際して両画像の選択部分の拡大画像を比較したい場合、撮影者は拡大モードボタン７９を押す。ボディーマイコン１２は拡大モードボタン７９が押されたかを判断する（ステップＳ１０６）。拡大モードボタン７９が押された場合には拡大モードへと移行する。
拡大モードでは、撮影者が十字操作キー７３を操作することで基準画像と比較画像の拡大したい箇所（拡大対象領域）を選択することができる。また、撮影者がダイヤル７８を操作することで表示倍率を設定することができる（ステップＳ１０７）。このときの表示例を図１５に示す。
【００５７】
拡大モードボタン７９が押されると、ステップＳ１０５の最後の表示（図１４（ａ）に示す表示例）に、基準画像８２Ａ′および比較画像８２Ｂ′のそれぞれ同一の領域を示す２つの拡大カーソル枠９１Ａおよび９１Ｙが追加して表示される。具体的には、基準画像８２Ａ′における拡大カーソル枠９１Ｘの位置は、比較画像８２Ｂ′における拡大カーソル枠９１Ｙの位置と同じである。撮影者が十字操作キー７３を上下左右に操作すると、拡大カーソル枠９１Ｘおよび９１Ｙは十字操作キー７３に入力された方向に操作量に応じた距離だけ移動する。このため、移動の際あるいは移動後、基準画像８２Ａ′と拡大カーソル枠９１Ｘとの位置関係は、拡大カーソル枠９１Ｙと比較画像８２Ｂ′との位置関係と同じとなる。
撮影者がダイヤル７８を回すと、ダイヤル７８の回転方向および回転量に従い、拡大カーソル枠９１Ｘおよび９１Ｙの大きさが変更される。このため、大きさが変更される際あるいは変更後、基準画像８２Ａ′と拡大カーソル枠９１Ｘとの位置関係は、拡大カーソル枠９１Ｙと比較画像８２Ｂ′との位置関係と同じとなる。拡大カーソル枠９１Ｘおよび９１Ｙで囲まれた領域が、拡大対象領域として選択される。
【００５８】
このようにして、基準画像８２Ａ′および比較画像８２Ｂ′のそれぞれ同一の領域が同期して選択される。本実施の形態では、基準画像の全範囲に対する拡大対象領域の範囲と比較画像の全範囲に対する拡大対象領域の範囲とが同一となる。
撮影者が決定ボタン７７を押すと、拡大対象領域が決定される（ステップＳ１０８）。なお、後述する拡大表示において、拡大表示領域は拡大対象領域の大きさによらず一定であるため、拡大対象領域の大きさを決定することで、画像表示制御部１５により同時に拡大倍率が決定される（ステップＳ１０８）。
画像表示制御部１５は、基準画像および比較画像の拡大画像を基準画像および比較画像とともに液晶モニタ１６に表示する（ステップＳ１０９）。図１６は拡大表示の表示例である。画像表示制御部１５は、ステップＳ１０９での表示（図１５）に、基準画像８２Ａ′の拡大対象領域の拡大画像１０３（以下、基準拡大画像という）および比較画像８２Ｂ′の拡大対象領域の拡大画像１０４（以下、比較拡大画像という）をオーバーラップさせて液晶モニタ１６に表示する。
【００５９】
基準拡大画像１０３および比較拡大画像１０４の大きさは、例えば拡大対象領域の大きさに関わらず一定である。また、基準拡大画像１０３は基準画像８２Ａ′にオ−バーラップして表示され、比較拡大画像１０４は比較画像８２Ｂ′にオ−バーラップして表示される。基準拡大画像１０３および比較拡大画像１０４は左右に並べて表示される。拡大カーソル枠９１Ｘおよび９１Ｙは、異なる表示方法で（例えば、実線が点線に変更され）、拡大対象領域を示す拡大対象領域枠９２Ｘおよび９２Ｙとして表示される。また、基準画像８２Ａ′または比較画像８２Ｂ′のいずれかを選択可能なように、前述のカーソル枠９０が液晶モニタ１６の表示領域の片側に表示される。
このように、焦点を合わせた被写体（女性）の背景（海）のぼけ具合を拡大表示により容易に比較することが可能となる。
（２．８：拡大モード中の比較画像の変更動作）
拡大モードの表示状態において、比較画像の方が好ましいと撮影者が判断し、撮影者により比較画像が選択された場合、選択された比較画像を新たに基準画像とする。基準画像の変更後も、拡大モードの表示条件は維持される。図１７（ａ）および（ｂ）の表示例を用いて説明する。
【００６０】
例えば、撮影者が十字操作キー７３を左右に操作してカーソル枠９０を比較画像８２Ｂ′に合わせる（図１７（ａ）に示す表示例）。その後、決定ボタン７７が押されると、ボディーマイコン１２は比較画像８２Ｂ′が選択されたと判断する（ステップＳ１１０）。この場合、画像表示制御部１５は比較画像８２Ｂ′を新たな基準画像８２Ｂ′として液晶モニタ１６の表示領域の左側に表示させる（ステップＳ１１１）。また、基準画像８２Ａ′を比較画像８２Ａ′として液晶モニタ１６の表示領域の右側に表示させる（ステップＳ１１２）。また、拡大モードの場合、拡大対象領域は維持したまま、画像表示制御部１５は、基準画像８２Ｂ′の基準拡大画像１０３および比較画像８２Ａ′の比較拡大画像１０４を液晶モニタ１６に表示させる（ステップＳ１１３、Ｓ１１４）。
このように、本実施の形態では、カーソル枠９０を用いて比較画像が選択されると、選択された比較画像が新たに基準画像に設定され、比較画像および基準画像が左右に入れ替わる。例えば、図１７（ａ）に示す表示例から図１７（ｂ）に示す表示例へ、左右の表示が入れ替わる。
【００６１】
拡大モードの表示状態において、撮影者により比較画像が変更された場合、比較画像の変更後も、拡大モードの表示条件は維持される。図１８を用いて表示例を説明する。
また、拡大モードの表示状態において、撮影者が別の画像を比較画像として選択することができる。例えば、撮影者がダイヤル７８を回すと、ボディーマイコン１２は比較画像の変更があると判断する（ステップＳ１１５）。ボディーマイコン１２は、フォルダ８２に記録されている一連の画像の中から、基準画像８２Ｂ′を含む画像８２Ｂおよび現在表示されている比較画像８２Ａ′を含む画像８２Ａ以外の画像（例えば画像８２Ｃ）を新しい比較画像として選択する。画像表示制御部１５は、液晶モニタ１６の表示領域の右側に表示されている画像を、選択前の比較画像８２Ａ′から、選択された画像８２Ｃの一部（比較画像８２Ｃ′）に変更し、比較画像８２Ｃ′を液晶モニタ１６に表示させる（ステップＳ１１２）。
【００６２】
このとき、拡大モードの表示条件は維持される。具体的には、ボディーマイコン１２は変更前の比較画像８２Ａ′における拡大対象領域の位置および大きさを記憶する。画像表示制御部１５は比較画像変更後の比較画像８２Ｃ′において、ボディーマイコン１２に記憶された拡大対象領域と同一部分を同一倍率にて比較拡大画像１０４として液晶モニタ１６に表示させる（ステップＳ１１３、Ｓ１１４）。このように、画像表示制御部１５は、比較画像の変更に同期して比較拡大画像１０４を変更する。
比較画像の変更入力がない場合、ボディーマイコン１２は、最適画像が選択されたかどうかを判断する（ステップＳ１１６）。具体的には、カーソル枠９０が基準画像８２Ｂ′に合わされた状態、すなわち、基準画像８２Ｂ′が選択された状態で決定ボタン７７が操作されることにより、ボディーマイコン１２は最適画像として基準画像８２Ｂ′が選択されたと判断する。そして、ボディーマイコン１２は、選択された基準画像８２Ｂ′を最適画像として決定する。
【００６３】
最適画像が決定されると、画像表示制御部１５は、図１９の表示例のように、一連の画像の中から最適画像として選択されたＦ５．６の画像８２Ｂの全体を液晶モニタ１６に表示する（ステップＳ１１７）。画像表示制御部１５は、最適画像とその他の画像とを区別可能にするための処理を行う。具体的には、最適画像である旨の情報を記憶する、最適画像として選択された画像以外の一連の画像を削除する、あるいは、最低画像を別のフォルダに移す、などの処理を画像表示制御部１５は行う（ステップＳ１１７）。
＜３：特徴＞
カメラシステム２００の特徴は以下の通りである。
（１）
このカメラシステム２００では、異なる撮影条件で取得された複数の画像の同一領域（前述の実施形態では各画像の左半分）を、基準画像および比較画像として並べて表示することができる。これにより、異なる撮影条件で取得された複数の画像の対応する部分をほぼ隣接した状態で比較することができ、画像を比較する際の利便性が高まる。
【００６４】
（２）
基準画像および比較画像の同一領域の拡大画像を並べて表示することができる。これにより、異なる撮影条件で取得された複数の画像の細かな部分まで比較することができる。
（３）
拡大画像を表示した状態（拡大モード）で比較画像を変更した際、変更後の比較画像についても変更前と同一の位置および大きさの拡大画像が表示される。これにより、撮影者の操作の利便性が向上する。
（４）
深度確認モードにより、撮影前に、被写体についての実際の画像を比較しながら最適な絞り値を設定することができる。また、撮影時の絞り値が所望の絞り値に設定されるため、撮影者はそのまま最適な絞り値での撮影を行うことができる。また、設定された絞り値で、複数枚の撮影を行う等、自由度の高い撮影が可能となる。
［その他の実施形態］
本発明の具体的な構成は、前述の実施形態に限られるものではなく、発明の要旨を逸脱しない範囲で種々の変更および修正が可能である。
【００６５】
（１）
前述の実施の形態においては、一眼レフカメラについて説明したが、本発明は一眼レフカメラに限定されることはなく、他のカメラシステム、例えば、コンパクトカメラについて適用されてもよい。
（２）
最適画像が選択されたかを判断する方法（ステップＳ１１７）は、フォルダ８２の全ての画像が少なくとも一度は比較をされていれば、最後の基準画像が最適画像として選択されたとボディーマイコン１２が判断するようにしてもよい。
（３）
深度確認モードの終了後、フォルダ８２に記録した一連の画像を削除するようにしてもよい。
【００６６】
（４）
前述の実施形態では、撮影者により拡大対象領域の選択及び設定が行われているが、拡大対象領域の選択方法はこれに限られない。例えば、被写体までの距離が異なる境界領域を多く含む領域を検出し、その検出結果に基づいて自動的に基準枠が設定される構成であってもよい。具体的には例えば、焦点検出用ユニット５により１枚の画像において複数点のＤｆ量が検出される。このＤｆ量に基づいて、ボディーマイコン１２により１枚の画像の中でＤｆ量の差が大きい（合焦領域と非合焦領域の差の大きい）領域が検出される。Ｄｆ量の差の大きい領域が自動的に基準枠として設定される。
この場合、前述のような方法で自動的に基準枠が設定されるため、比較対象として最適な基準画像を迅速に選択することができる。これにより、画像を比較する際の利便性がさらに高まる。
【００６７】
（５）
前述の実施形態では、交換レンズユニット２に搭載された絞りリング４０を用いて絞り値の変更が行われている。しかし、絞りリング４０の代わりに、カメラ本体１に搭載されたダイヤルやボタンなどの操作部を用いて絞り値を変更できる構成であってもよい。また、カメラ本体１に搭載された操作部は、絞り値を変更するための操作部でなくとも、他の目的で使用される操作部と兼用であってもよい。
（６）
前述の実施形態では、液晶モニタ１６に表示する画像は、撮像センサ１１により取得されている。しかし、ファインダ光学系内に配置された別の撮像センサが用いられてもよい。この場合、モニタ撮影モードにおいて、クイックリターンミラー４を光路Ｘ外へ退避させる必要がない。また、クイックリターンミラー４およびファインダ光学系１９などの構成および配置は、前述の構成および配置などに限定されない。
【００６８】
（７）
例えば、撮影した画像を再生させる再生モードにおいて、液晶モニタ１６に異なる絞り値で撮影された画像を左右並べて表示させる構成であってもよい。これにより、撮影者は絞り値と撮影された画像との関連性を感覚的に知ることができ、次に撮影するときの参考とすることができる。
（８）
前述の実施形態では、撮影条件として絞り値を変更させているが、撮影条件はこれに限定されない。例えば、比較する画像が異なるシャッタースピードで撮影された複数の画像であってもよい。この場合、再生モードにおいて一方の画像が反転された状態で２枚の画像が並んで表示される。これにより、シャッタースピードが異なる複数の画像の比較が容易となり、利便性が高まる。
【００６９】
（９）
前述の実施形態では、カメラシステム２００として一眼レフカメラを例に説明をしている。しかし、カメラシステム２００の実施形態はこれに限定されない。例えば、このカメラシステム２００は、コンパクトカメラに適用することも可能である。特に、大きなサイズの撮像素子を有するコンパクトカメラについて適用した場合、拡大カーソル枠９１Ｘおよび９１Ｙの位置および範囲などの選択の自由度が高いため、このカメラシステム２００は有効である。
（１０）
前述の実施形態では、図１７の表示例のように比較画像があらたな基準画像として選択されると、比較画像と基準画像の表示位置を入れ替えて、あらたな基準画像が変更前と同じ左側に表示するようにしたが、カーソル枠９０が合わされた画像が基準枠であると判断し、表示位置の変更をしなくてもよい。この場合、ダイヤル７８が回されて比較画像が他の画像に変更される際、カーソル枠９０が合わされていない方の画像が変更されるようにしてもよい。
【００７０】
（１１）
前述の実施形態では、基準画像および比較画像は左右に並んでいるが、基準画像および比較画像が上下や斜めに並んでいる場合も考えられる。この場合でも前述の実施形態と同様の効果が得られる。
（１２）
前述の実施形態では、撮影条件の異なる２つの画像（基準画像、比較画像）を液晶モニタ１６に表示しているが、撮影条件の異なる３つ以上の画像（基準画像、第１比較画像、第２比較画像・・・）を表示するようにしてもよい。
（１３）
上記説明に用いた座標軸、方向、構成要素の配置等は、本発明の使用状態を限定するものではない。
【産業上の利用可能性】
【００７１】
本発明にかかるカメラシステムは、カメラシステムの利便性を向上させることができるため、カメラシステムに利用可能である。
【図面の簡単な説明】
【００７２】
【図１】交換レンズユニットとデジタルカメラ本体の制御システムを示すブロック図
【図２】ファインダ撮影モードを説明する概念図
【図３】モニタ撮影モードを説明する概念図
【図４】カメラシステムの上面図
【図５】カメラシステムの背面図
【図６】カメラ本体の制御システムを示すブロック図
【図７】交換レンズユニットの制御システムを示すブロック図
【図８】撮影画像の記録用フォルダ構成を説明する概念図
【図９】連続撮影モードのフローチャート
【図１０】比較再生モードのフローチャート
【図１１】比較再生モード（拡大モード）のフローチャート
【図１２】一連の画像を選択するためのサムネイル表示を示す図
【図１３】基準画像を選択する操作時の表示例を示す図
【図１４】比較画像を選択する操作時の表示例を示す図
【図１５】拡大対象領域を選択する操作時の表示例を示す図
【図１６】拡大表示の表示例を示す図
【図１７】画像選択過程において比較画像を変更した操作時の表示例を示す図
【図１８】拡大モード中の比較画像を変更する操作時の表示例を示す図
【図１９】比較再生モード終了後の表示例を示す図
【符号の説明】
【００７３】
Ｌ    撮像光学系
Ｘ    光路
１    デジタルカメラ
２    交換レンズユニット
４    クイックリターンミラー
９    ファインダ接眼窓
１１    撮像センサ
１２  ボディーマイコン（表示制御部の一例）
１５    画像表示制御部（表示制御部の一例）
１６    液晶モニタ（表示部の一例）
１８    画像記録部
３０    レリーズボタン
３１    シャッタースピード設定ダイヤル
７１    撮影／再生モード切り替えレバー
７２    ＭＥＮＵボタン
７５    撮影条件決定部
７６    深度確認モードボタン
７９    拡大モードボタン
【図１】
2009017539.tif 000003
【図２】
2009017539.tif 000004
【図３】
2009017539.tif 000005
【図４】
2009017539.tif 000006
【図５】
2009017539.tif 000007
【図６】
2009017539.tif 000008
【図７】
2009017539.tif 000009
【図８】
2009017539.tif 000010
【図９】
2009017539.tif 000011
【図１０】
2009017539.tif 000012
【図１１】
2009017539.tif 000013
【図１２】
2009017539.tif 000014
【図１３】
2009017539.tif 000015
【図１４】
2009017539.tif 000016
【図１５】
2009017539.tif 000017
【図１６】
2009017539.tif 000018
【図１７】
2009017539.tif 000019
【図１８】
2009017539.tif 000020
【図１９】
2009017539.tif 000021